(57)【特許請求の範囲】
【請求項１】
両端部を円錐状、曲面状又は平面状に形成してあり、負に帯電させた粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅを封入してあるガラス管部を、筒状のケースの一端部に有し、前記ガラス管部を振動させ、又は該ガラス管部の中心軸回りに回転させるための駆動装置を前記ケースの内部又は外部に備え、
前記ケースの他端部に、尖部を有し、負に帯電させた粒状又は粉末状のＳｉ又はＳｉＯx （０＜ｘ≦２）が封入された補助ガラス管部を備えたことを特徴とする静電気軽減除去具。
【請求項２】
両端部を円錐状、曲面状又は平面状に形成してあり、負に帯電させた粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅを封入してあるガラス管部を、筒状のケースに、孔を有したその一端に前記ガラス管部の一端部を向けた状態で内蔵させ、前記ガラス管部を振動させ、又は該ガラス管部の中心軸回りに回転させるための駆動装置を前記ケースの内部又は外部に備え、
前記ケースの他端部に、尖部を有し、負に帯電させた粒状又は粉末状のＳｉ又はＳｉＯx （０＜ｘ≦２）が封入された補助ガラス管部を備えたことを特徴とする静電気軽減除去具。
【請求項３】
前記負に帯電した粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅは、これらを、負に帯電した粒状又は粉末状のＳｉ又はＳｉＯx （０＜ｘ≦２）をガラス管に封入してなる静電気軽減除去手段を地中に埋設した場所で静置する第１過程と、該第１過程にて処理されたＳｉ，ＳｉＯx （０＜ｘ≦２），鉱物，Ａｌ，Ｐ，Ｇｅ，Ｓｎ，Ｐｂ，Ｎｉ又はＦｅを前記場所で所定時間焼成する第２過程とを有して生成されたものである請求項１又は２に記載の静電気軽減除去具。
【請求項４】
前記負に帯電した粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅは、これらを、負に帯電した石英坩堝に投入する第１過程と、負に帯電した粒状又は粉末状のＳｉ又はＳｉＯx （０＜ｘ≦２）をガラス管に封入してなる静電気軽減除去手段を地中に埋設した場所で、前記第１過程にて処理されたＳｉ，ＳｉＯx （０＜ｘ≦２），鉱物，Ａｌ，Ｐ，Ｇｅ，Ｓｎ，Ｐｂ，Ｎｉ又はＦｅを所定時間焼成する第２過程とを有して生成されたものである請求項１又は２に記載の静電気軽減除去具。
【発明の詳細な説明】
【０００１】
【発明の属する技術分野】
本発明は、肩こり及び腰痛等の筋肉痛その他の症状を改善するための静電気軽減除去具に関する。
【０００２】
【従来の技術】
筋肉痛は、筋肉の緊張が亢進して生じ、いわゆる「こり」という自覚症状を伴うことが多い。筋肉がこる場合の最も一般的な原因は疲労である。疲労により筋肉の血液の循環に障害が生じると、酸素及びエネルギー源の供給が十分でなくなり、嫌気性解糖がさかんに行われるようになる。その結果、産生された乳酸等の疲労物質が蓄積されて、筋肉のタンパク質が膠質化学的変化を起こし、筋肉の硬度が増加して「こり」の状態になる。また、精神的緊張及び内蔵に疼痛の原因になるような疾患がある場合の筋肉の反射性緊張も筋肉の「こり」の原因となる。
【０００３】
「こり」は、筋肉内又はその筋肉が付着する骨膜に分布する知覚神経が筋肉の緊張により機械的刺激を受けるため、痛みとして自覚される。筋肉の血流障害が筋繊維の萎縮と筋繊維内脂肪湿潤とを引き起こし、引き続いて起こる限局性筋炎がの「こり」の原因となることもある。
【０００４】
いずれにしても、筋肉の緊張によって血流量が減少すると、微小血管拡張系が活動してカリウムイオン及び乳酸等の発痛物質の遊離が促進される。また、ｐＨが低下している筋組織では発痛物質を破壊する酵素の活動は抑制されており、阻血によって発痛物質の流出が妨げられ、筋肉内に蓄積されることも疼痛の発現の原因となる。
【０００５】
筋肉痛の予防は、筋肉を鍛えて疲労が起こりにくくすることが第一であると言われている。筋肉痛が生じた場合には、筋肉を休めて疲労を除き、温湿布及びマッサージ等で筋肉の血流を改善しなければならない。
また、古くから東洋医学の分野では、体内の器官を代表する体表のポイント（ツボ又は経穴という）を指圧したり、灸をすえたり、鍼をうつ等の方法で、経絡（体内の各器官とツボとを連絡している道）を流れている「気」と呼ばれるエネルギーの流れを改善し、直接触れることができない器官を治療することが行なわれている。
【０００６】
上述した「こり」の部位及びツボのマッサージをするための従来のマッサージ具には、ハンマー型であって一端に設けられた握り部を握り、他端に設けられた槌部で患部を叩くもの、一端に設けられた握り部を握って他端に設けられた押圧部で患部を押圧するもの、及びペンシル型であって先端部を患部に当ててモータにより振動させるもの等がある。
しかしながら上述のマッサージ具では、筋肉の血流が充分には改善されず、各症状が充分に改善しないという問題があった。また、スポット的に押圧するので、全般的にマッサージするには、複数回、押圧位置を変えてマッサージする必要があった。
【０００７】
ところで、人体の体表面又は体内がプラスに帯電している場合、血液及びリンパ液等の体液、並びに気の流れが悪くなり、血圧上昇、血糖増加、血管収縮及び利尿抑制等の生体作用が生じ、その結果、細胞の活性が減じ、人は興奮しやすくなり、不快感があり、不眠になり、食欲が減退する等の症状が現れ、美容上のトラブル、筋肉痛等の健康障害及び疾病が誘発されることが知られている。
このような静電気を軽減除去する方法としては、物体の導電性を高めて電荷を迅速に逃す方法（例えば一端が地中に埋め込まれたアース線に接続する方法）、発生した電荷にアイソトープ、交流コロナ放電を利用した除電器で異極性のイオンを供給しこれを中和する方法、空中放電する方法等がある。
また、正の静電気を中和し、又は負に転じさせて美容上のトラブル、健康障害及び疾病の発生を防止するために、負電荷が発生する機能が付加された空気清浄機等の種々の機器、寝具（布団、枕）及び衣類等が開発されている。
【０００８】
【発明が解決しようとする課題】
しかしながら前者の方法では静電気を完全に除去することは困難であり、まして正の静電気を負に転じるには大がかりな装置が必要であった。
また、後者の機器等からは大気中に負電荷が拡散し、人体に直接作用する負電荷の量は少なく、人体に帯電している静電気の中和、即ち静電気の軽減除去が十分でなかった。従って、それらの機器等は十分に機能していないという問題があった。
【０００９】
本発明は斯かる事情に鑑みてなされたものであり、本願の第１及び第２発明は、負に帯電した粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入されたガラス管部の端部を患部に押圧して振動又は回転させることにより、人体に直接負電荷を供給して人体に帯電している正電荷を中和、即ち静電気を軽減除去し、その結果、体液等の流れを良くし、筋肉痛等の症状を軽減することができる静電気軽減除去具を提供することを目的とする。ここで、負に帯電するとは、負電荷を与えられること、負の静電気を帯びることを意味し、マイナスイオン化ともいう。Ｓｉの酸化物としては、ＳｉＯ2 又はＳｉＯだけでなく、ｘとして小数点付きの酸化物もあり、この存在は永見剛一が著した「ＳｉＯ蒸着膜の性質」という研究論文で明らかにされている。
【００１０】
また、本願の第１及び第２発明は、他端部に、尖部を有し、負に帯電した粒状又は粉末状のＳｉ又はＳｉＯx （０＜ｘ≦２）が封入された補助ガラス管部を備えることにより、駆動装置の長寿命化を図ることができ、ガラス管部の破損、及び不純物である二酸化鉄のガラス管部内壁への付着を防止することができる静電気軽減除去具を提供することを目的とする。
【００１１】
本願の第３及び第４発明は、静電気軽減除去手段が埋設された場所でＳｉ等を静置し、又は負電荷が与えられた石英坩堝にＳｉ等を投入し、その後、このＳｉ等を焼成することにより、負電荷がＳｉ等に定着し、負電荷の経時的減少が抑制される静電気軽減除去具を提供することを目的とする。
【００１２】
【課題を解決するための手段】
第１発明の静電気軽減除去具は、両端部を円錐状、曲面状又は平面状に形成してあり、負に帯電させた粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅを封入してあるガラス管部を、筒状のケースの一端部に有し、前記ガラス管部を振動させ、又は該ガラス管部の中心軸回りに回転させるための駆動装置を前記ケースの内部又は外部に備え、前記ケースの他端部に、尖部を有し、負に帯電させた粒状又は粉末状のＳｉ又はＳｉＯx （０＜ｘ≦２）が封入された補助ガラス管部を備えたことを特徴とする。
【００１３】
第２発明の静電気軽減除去具は、両端部を円錐状、曲面状又は平面状に形成してあり、負に帯電させた粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅを封入してあるガラス管部を、筒状のケースに、孔を有したその一端に前記ガラス管部の一端部を向けた状態で内蔵させ、前記ガラス管部を振動させ、又は該ガラス管部の中心軸回りに回転させるための駆動装置を前記ケースの内部又は外部に備え、前記ケースの他端部に、尖部を有し、負に帯電させた粒状又は粉末状のＳｉ又はＳｉＯx （０＜ｘ≦２）が封入された補助ガラス管部を備えたことを特徴とする。
【００１４】
第１及び第２発明においては、負に帯電したＳｉ等が封入されたガラス管部を備えており、このガラス管部の端部から負電荷が放出される。負電荷が生体に供給され、患部に帯電していた正の静電気が軽減除去されると、体液等の流れが良くなり、血圧下降、血糖減少、血管拡張及び利尿促進等の生体作用が生じることが知られているが、この静電気軽減除去具を使用することにより、負電荷が人体に効率よく供給されて人体に帯電していた静電気が軽減除去されるので、その結果、筋肉痛等の症状が軽減する。
また、本発明においては、他端部に補助ガラス管部を備えており、その結果、人体に押圧する時間が短縮でき、駆動装置の長寿命化を図ることができるとともに、ガラス管部の破損、及び不純物である二酸化鉄のガラス管部内壁への付着を防止することができることが実験により確認されている。
【００１６】
第３発明の静電気軽減除去具は、第１又は第２発明において、前記負に帯電した粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅが、これらを、負に帯電した粒状又は粉末状のＳｉ又はＳｉＯx （０＜ｘ≦２）をガラス管に封入してなる静電気軽減除去手段を地中に埋設した場所で静置する第１過程と、該第１過程にて処理されたＳｉ，ＳｉＯx （０＜ｘ≦２），鉱物，Ａｌ，Ｐ，Ｇｅ，Ｓｎ，Ｐｂ，Ｎｉ又はＦｅを前記場所で所定時間焼成する第２過程とを有して生成されたものであることを特徴とする。
【００１７】
第４発明の静電気軽減除去具は、第１又は第２発明において、前記負に帯電した粒状又は粉末状のＳｉ，ＳｉＯx （０＜ｘ≦２），鉱物，Ａｌ，Ｐ，Ｇｅ，Ｓｎ，Ｐｂ，Ｎｉ又はＦｅは、これらを、負に帯電した石英坩堝に投入する第１過程と、負に帯電した粒状又は粉末状のＳｉ又はＳｉＯx （０＜ｘ≦２）をガラス管に封入してなる静電気軽減除去手段を地中に埋設した場所で、前記第１過程にて処理されたＳｉ，ＳｉＯx （０＜ｘ≦２），鉱物，Ａｌ，Ｐ，Ｇｅ，Ｓｎ，Ｐｂ，Ｎｉ又はＦｅを所定時間焼成する第２過程とを有して生成されたものであることを特徴とする。
【００１８】
第３及び第４発明においては、第１過程で、静電気軽減除去手段が埋設された場所でＳｉ等を静置し、又は負電荷が与えられた石英坩堝にＳｉ等を投入するので、負電荷がＳｉ等に移行してＳｉ等が負電荷を帯びた状態になる。その後の第２過程で、静電気軽減除去手段が埋設された場所でこのＳｉ等を焼成することにより、負電荷がＳｉ等に定着し、負電荷の経時的減少が抑制される。このようにして負に帯電したＳｉ等をガラス管部に封入して静電気軽減除去具を構成すると、その使用時に負電荷が効率良く供給されて、人体に帯電した正の静電気が軽減除去される。
【００１９】
【発明の実施の形態】
以下、本発明をその実施の形態を示す図面に基づき具体的に説明する。
実施の形態１．
図１は、本発明の実施の形態１に係る第１静電気軽減除去具１を示す側面図、図２はその断面図である。第１静電気軽減除去具１は万年筆形をなしており、ガラス管部３１と、これを支持するためのガラス管部支持部３２と、ガラス管部３１及びガラス管部支持部３２を被覆して保護するためのキャップ３３と、胴体部３４と、ヘッドキャップ３５と、ヘッドキャップ３５に取り付けられた擬宝珠形の補助ガラス管部３６とを備えたものである。
【００２０】
ガラス管部３１は、円錐状に形成されたガラス管部支持部３２の先端に一端部を突出させて支持されており、キャップ３３によりガラス管部支持部３２の底部まで覆われるようになしてある。胴体部３４内のガラス管部支持部３２側には、モータ３９及びこれに接続された偏心おもり部４０が、ヘッドキャップ３５側には乾電池３８が、モータ及び乾電池ホルダ４１を介して収納されている。偏心おもり部４０は導線４２により胴体部３４の内周面に接続されており、偏心おもり部４０と乾電池３８とは導線４３によって接続されている。
【００２１】
胴体部３４の端部には雄ネジ４４が設けられ、ヘッドキャップ３５の内面には雌ネジ４５が設けられており、ヘッドキャップ３５を右回りに締めることにより、ヘッドキャップ３５の内側中央部に設けられたプラス極接触部３７が乾電池３８のプラス極と接触し、モータ３９に電気が流れるようになしてある。
【００２２】
図３は、ガラス管部３１の立面図である。ガラス管部３１は、両端を円錐状に形成して閉じたものであり、負に帯電したメタリックシリコン２が封入されている。ガラス管部３１の直径は略３ｍｍ、長さは略３ｃｍである。なお、ガラス管部３１の端部は曲面状又は平面状に形成してもよい。
【００２３】
ガラス管部３１及び補助ガラス管部３６に封入されるメタリックシリコン２は、以下のようにして負に帯電させる。
図４は、本発明に係る静電気軽減除去具の製造に適用する負電荷付与装置を示す斜視図である。
負電荷付与装置は、石英坩堝５、銅板６、コード７及び静電気軽減除去装置８を備えたものである。静電気軽減除去装置８は、特開平１１−８７０８６号公報に開示されている。開口面の内径が略４０ｃｍ、高さが略４０ｃｍの石英坩堝５の開口側外縁部及び底部が、それぞれ銅板６及びコード７を介して静電気軽減除去装置８に接続されている。
静電気軽減除去装置８を作動させ、石英坩堝５にマイナスイオンを３時間程度供給し、石英坩堝５から正の静電気を十分に除去した後、Ｓｉ純度が９９．５％のメタリックシリコン（粒径０．２〜２ｍｍ）２を１ｋｇ、開口側から石英坩堝５に投入し、静電気軽減除去装置８を作動させた状態で、所定時間（３〜１５分）放置し、メタリックシリコン２に負電荷を付与させる。
【００２４】
次に、前記メタリックシリコン２を焼成する。
図５は、メタリックシリコン２を焼成する建物及び敷地を示す側面図であり、図６はその平面図である。１００坪の敷地２２の中央部に、建物２１（底面３．６ｍ×９．０ｍ）が建てられている。敷地２２の四隅と中央（建物２１の中央）には、地下５ｍの深さに、長さ１．５ｍ、直径８ｃｍのガラス管９１に、粒状又は粉末状の５〜６ｋｇの珪素（Ｓｉ）９２を封入、密閉したものであるイオン棒９（特許第２８９６７６２号）がその長手方向を上下方向に一致させて、埋設されている。建物２１の中央部には電気炉２３が配置されている。
【００２５】
上述のようにして負に帯電したメタリックシリコン２を石英坩堝５から陶器製の坩堝２４に移し、これを、電気炉２３に入れ、８００〜１３００℃で、３０分〜２時間焼成する。坩堝２４は底面の直径が３０ｃｍ、高さ２０ｃｍである。この坩堝２４も石英坩堝５と同様にして予め負電荷を付与されている。焼成後にメタリックシリコン２は赤、青、緑、黄、紫及びエンジのうちのいずれかの色になる。
なお、イオン棒９のガラス管９１の長さ及び直径、並びにＳｉ９２の量は、建物２１及び敷地２２の大きさ等により適宜選択すればよい。イオン棒９の埋設位置、深さ及びその個数も、建物２１及び敷地２２の大きさ及び形状等を考慮して適宜選択する。
そして、この実施形態においては、ガラス管９１にＳｉ９２を封入しているが、ＳｉＯx を封入してもよい。この場合、ｘは、１．０＜ｘ≦２．０であるのが好ましい。
さらに、図３の負電荷付与装置を用いる代わりに、メタリックシリコン２を敷地２２内において１日から１週間以上放置し、その後焼成することにしてもよい。
【００２６】
焼成後のメタリックシリコン２を５ｋｇビニール袋に入れ、高さ２０ｃｍの位置から紙箱（３０ｃｍ×３０ｃｍ×１０ｃｍ）に移し替えたときに、紙箱の上方の静電電位を前記静電電位測定器で測定した結果を次の表１に示す。
【００２７】
【表１】
0004508442.tif 000002
【００２８】
表１よりメタリックシリコン２が負に帯電していることが判る。
【００２９】
図７は、第２静電気軽減除去具３を示す側面図であり、図中、図１と同一部分は同一符号を付してある。この第２静電気軽減除去具３のガラス管部４６には、負に帯電させたメタリックシリコン２と、同様にして負に帯電させた食塩（特願平１１−４７１９１号）とが混合して封入されている。
【００３０】
以上のように構成された第１静電気軽減除去具１及び第２静電気軽減除去具３を使用する場合、ヘッドキャップ３５を左回りに回して外し、胴体部３４に乾電池３８をマイナス極側から挿入した後、ヘッドキャップ３５を右回りに回して締める。ヘッドキャップ３５をさらに右に回すと、プラス極接触部３７が乾電池３８のプラス極と接触し、モータ３９により偏心おもり部４０が回転して、第１静電気軽減除去具１及び第２静電気軽減除去具３全体が振動する。そして、キャップ３３を締めた状態で、第１静電気軽減除去具１及び第２静電気軽減除去具３を人体の患部に押圧する。
【００３１】
前記ガラス管部３１により負電荷が供給され、周囲の正の静電気が零又は負に転じることを確認するために、ガラス管部３１の周辺部の静電電位を測定した。測定条件は以下の通りである。
測定室：６ｍ×９ｍ×２．７ｍ
室温：２６℃
湿度：３０％
測定器：静電電位測定器（春日電気（株）製ＫＳＤ０１０３）
ガラス管部３１の形状：直径３ｍｍ、長さ３０ｍｍ
測定方法：第１静電気軽減除去具１をキャップ３３を外した状態で、絶縁体からなるテーブル上に載置して振動させ、ガラス管部３１の先端から１ｃｍ離れた位置に前記静電電位測定器を載置して静電電位を測定した。また、テーブルから３０ｃｍの高さの位置で、室内の静電電位も測定した。その結果、室内の静電電位は０．０ｋＶ〜０．２ｋＶであったのに対し、ガラス管部３１の先端から１ｃｍの距離における静電電位は０．０ｋＶであり、ガラス管部３１により正の静電気が零に転じたことが確認された。
また、補助ガラス管部３６をヘッドキャップ３５に取り付けなかった場合と取り付けた場合、それぞれにつきモータ３９の寿命を調べたところ、前者の場合はモータ３９の寿命が１００時間であったのに対し、後者の場合はモータ３９の寿命が３００時間であり、向上していることが判った。
【００３２】
次に、第１静電気軽減除去具１及び第２静電気軽減除去具３を人体に使用した場合の具体的な症例、並びに第１静電気軽減除去具１及び第２静電気軽減除去具３を使用した効果について説明する。通常は、キャップ３３を装着した状態で人体に押圧するが、症状が重い部位はキャップ３３を外した状態で押圧する。また、第１静電気軽減除去具１及び第２静電気軽減除去具３は単独で使用してもよいが、第１静電気軽減除去具１を使用した後、さらに第２静電気軽減除去具３を使用した場合には、各種の症状の軽減効果が上がることが確認されている。
以下の症例は、医師の臨床試験に基づくものである。
【００３３】
椎間板ヘルニア、リウマチ、座骨神経痛、ムチウチ、五十肩、腱鞘炎、捻挫等の症状は、キャップ３３を装着した状態で、第１静電気軽減除去具１及び第２静電気軽減除去具３を続けて使用し、さらにキャップ３３を外した状態で第１静電気軽減除去具１及び第２静電気軽減除去具３を続けて使用することにより痛みが消失したことが確認された。
【００３４】
婦人科疾患である帯下、子宮内膜症、強度の生理痛の症状は、腟内に第１静電気軽減除去具１及び第２静電気軽減除去具３を別々に挿入し、キャップ３３を外して腹部等の痛い部分をさらに２本の静電気軽減除去具により押圧することにより軽減したことが確認された。
【００３５】
物忘れがひどい患者に対しては、起床時、日中、就寝時の３回、頭頂から側頭部を経て耳の穴まで順番に１箇所１分程度当てることを、２本の静電気軽減除去具で繰り返す。次に、紙の生え際の中心に１本を固定し、もう１本はその位置から頭頂を通り、後頭部から首の付け根まで当てる。耳の穴、第１頚椎から首の回りへの押圧は、耳鳴り、不眠症、イライラ等に効果があり、ほとんどの場合、精神安定剤が不要になる。
【００３６】
腰椎挫傷の患者に対しては、鼠径部（両足の付け根、片方１０箇所程度）をキャップ３３を装着したまま、１箇所２分程度、２本の静電気軽減除去具を用いて押圧する。次に、腰の痛い部位に当て、最後に残った痛みはキャップ３３を外した状態で、痛みが消えるまで当てる。患者の中には、寝返りが楽になり、トイレ等に立って歩くことが出来るまで回復した者がいた。
【００３７】
日常生活が可能である心臓病患者に対しては、病状が安定しているときに、側頭部、前頭部、後頭部、首及び心臓の回りをキャップ３３を装着した状態で、２本の静電気軽減除去具を使用して２カ月程度治療することにより、発作がなくなったことが確認された。
【００３８】
花粉症等は、症状が重い場合に、キャップ３３を装着した状態で、鼻及び目の回りを１箇所３分程度、２本の静電気軽減除去具を用いて３〜６カ月程度治療することにより、自然治癒したことが確認された。
【００３９】
実施の形態２．
図８は、本発明の実施の形態２に係る第３静電気軽減除去具４を示す断面図である。図中、図２と同一部分は同一符号を付してある。
第３静電気軽減除去具４のケースは、ガラス管部３１を収納するガラス管部収納部５１と、偏心おもり部４０を収納する偏心おもり部収納部５２と、モータ３９を収納するモータ収納部５３と、補助ガラス管部３６を収納する補助ガラス管部収納部５４とからなり、ガラス管部収納部５１及び補助ガラス管部収納部５４の端部にはそれぞれ孔が設けてある。
ガラス管部３１は、直径３０ｍｍ、長さ６００ｍｍである。
モ─タ３９（日本サーボ（株）製：定格出力１．３Ｗ、トルク４０ｇ／ｃｍ、定格回転数３３００ｒｐｍ、消費電力０．２８Ａ）は、その電源コードがＤＣアダプター又は自動車のシガレットライター用ソケットに接続されるべくなしてある。
【００４０】
図９及び図１０は、実施の形態２に係る他の第３静電気軽減除去具４を示す断面図であり、図中、図８と同一部分は同一符号を付してある。
図９の第３静電気軽減除去具４においては、ガラス管部３１の両端部が曲面状に形成してあり、図１０の第３静電気軽減除去具４においては、ガラス管部３１の両端部が平面状に形成してある。
【００４１】
実施の形態２に係る第３静電気軽減除去具４は、すりこぎ棒を持つようにして握り、振動させた状態で、ガラス管部３１側の端部を背中、肩及び腰等に当てて押圧する。
眠る時に、この第３静電気軽減除去具４を枕の上に置き、振動させた状態で首に当てておくと、翌朝、起き上がる時に肩及び首の痛みがなく、目覚めが良く、頭がすっきりすることが確認されている。中高年で、朝起きる時に肩及び腰が痛くてなかなか起き上がれない者に、特に効果が大きい。
また、自動車の運転中に、運転手の背中とシートとの間にこの第３静電気軽減除去具４を介在させて振動させた場合、眠気がなくなり、肩及び腰の痛みが軽減することも確認されている。
【００４２】
以上のように、本発明の第１静電気軽減除去具１、第２静電気軽減除去具３及び第３静電気軽減除去具４においては、ガラス管部３１及び４６から負電荷が放出され、人体に帯電していた正の静電気を略零に、さらには負の静電気に変化させることができ、その結果、眠気、肩こり、五十肩、胃痛及び腰痛等の症状が軽減する。この第１静電気軽減除去具１、第２静電気軽減除去具３及び第２静電気軽減除去具４による生理的作用のメカニズムは解明されていないが、人体に負電荷が効率よく供給されることにより、患部に滞留した正の静電気が負に転じて、体液等の流れが良くなり、血圧下降、血糖減少、血管拡張及び利尿促進等の生体作用が生じたためと考えられる。
【００４３】
なお、前記実施の形態においては、負電荷を付与されたメタリックシリコン２をガラス管部３１及び４６に封入した場合につき説明しているがこれに限定されるものではなく、珪砂等に負電荷を付与させたものを封入することにしてもよい。
また、前記実施の形態においては、Ｓｉ又はＳｉＯx を負に帯電させてガラス管部３１に封入した場合につき説明しているがこれに限定されるものではなく、鉱物、Ａｌ、Ｐ、Ｇｅ、Ｓｎ、Ｐｂ、Ｎｉ又はＦｅ等を負に帯電させてガラス管部３１に封入することにしてもよい。
【００４４】
さらに、前記実施の形態においては、ガラス管部３１を振動させる場合につき説明しているがこれに限定されるものではなく、回転させることにしてもよい。本発明の静電気軽減除去具は種々の設計変更が可能である。
【００４５】
【発明の効果】
以上、詳述したように、第１発明及び第２発明による場合は、負に帯電したＳｉ等が封入されたガラス管部を備えており、このガラス管部の端部から負電荷が放出され、負電荷が人体に効率よく供給されて人体に帯電していた静電気が軽減除去されるので、結果として、筋肉痛等の症状が軽減する。
【００４６】
第１及び第２発明による場合は、他端部に補助ガラス管部を備えており、その結果、人体に押圧する時間が短縮でき、駆動装置の長寿命化を図ることができるとともに、ガラス管部の破損、及び不純物である二酸化鉄のガラス管部内壁への付着を防止することができる。
【００４７】
第３及び第４発明による場合は、第１過程で、静電気軽減除去手段が埋設された場所でＳｉ等を静置し、又は負電荷が与えられた石英坩堝にＳｉ等を投入するので、負電荷がＳｉ等に移行してＳｉ等が負電荷を帯びた状態になる。その後の第２過程で、静電気軽減除去手段が埋設された場所でこのＳｉ等を焼成することにより、負電荷がＳｉ等に定着し、負電荷の経時的減少が抑制される。このようにして負に帯電したＳｉ等をガラス管部に封入して静電気軽減除去具を構成すると、その使用時に負電荷が効率良く供給されて、人体に耐電した正の静電気が軽減除去される。
【図面の簡単な説明】
【図１】本発明の実施の形態１に係る第１静電気軽減除去具を示す側面図である。
【図２】本発明の実施の形態１に係る第１静電気軽減除去具を示す断面図である。
【図３】ガラス管部を示す立面図である。
【図４】本発明に係る静電気軽減除去具の製造に適用する負電荷付与装置を示す斜視図である。
【図５】メタリックシリコンを焼成する建物及び敷地を示す側面図である。
【図６】メタリックシリコンを焼成する建物及び敷地を示す平面図である。
【図７】本発明の実施の形態１に係る第２静電気軽減除去具を示す側面図である。
【図８】本発明の実施の形態２に係る第３静電気軽減除去具を示す断面図である。
【図９】本発明の実施の形態２に係る他の第３静電気軽減除去具を示す断面図である。
【図１０】本発明の実施の形態２に係る他の第３静電気軽減除去具を示す断面図である。
【符号の説明】
１    第１静電気軽減除去具
２    メタリックシリコン
３    第２静電気軽減除去具
４    第３静電気軽減除去具
３１  ガラス管部
３６  補助ガラス管部
３９  モータ
４０  偏心おもり部
【図１】
0004508442.tif 000003
【図２】
0004508442.tif 000004
【図３】
0004508442.tif 000005
【図４】
0004508442.tif 000006
【図５】
0004508442.tif 000007
【図６】
0004508442.tif 000008
【図７】
0004508442.tif 000009
【図８】
0004508442.tif 000010
【図９】
0004508442.tif 000011
【図１０】
0004508442.tif 000012